(57)【特許請求の範囲】
【請求項１】
外刃と、外刃を固定する外刃枠と、外刃枠を上下動自在に保持する保持枠と、保持枠に連結される外周枠とを備える刃フレーム部を、本体部の内刃を備えた上部に装着させて成る電気かみそりであって、上記保持枠は、外周枠に対して下側から着脱自在に装着されるものであり、且つ上記外周枠は、下側から装着した保持枠の外周を全周に亘って覆い隠すものであり、上記外周枠を、上記保持枠を介して本体部に装着させることを特徴とする電気かみそり。
【請求項２】
保持枠を、本体部に密着した状態で装着させることを特徴とする請求項１に記載の電気かみそり。
【請求項３】
保持枠と外周枠との間に、洗浄液を通過させるための隙間を設けることを特徴とする請求項１又は２に記載の電気かみそり。
【請求項４】
本体部に対する保持枠の装着を解除するために備えてある解除ボタンの操作面と、保持枠に対する外周枠の装着を解除するために備えてある解除ボタンの操作面とを、略面一に設けることを特徴とする請求項１〜３のいずれか一項に記載の電気かみそり。
【請求項５】
保持枠の側部に貫通孔を設け、本体部に設けたフックを該貫通孔の一部に係止させることで本体部に保持枠を装着させ、且つ外周枠に設けたフックを該貫通孔の他部に係止させることで保持枠に外周枠を装着させることを特徴とする請求項１〜４のいずれか一項に記載の電気かみそり。
【発明の詳細な説明】
【技術分野】
【０００１】
本発明は、体毛を切断するための電気かみそりに関する。
【背景技術】
【０００２】
電気かみそりとして、外刃を有する刃フレーム部を、内刃を有する本体部に装着させて用いるものが種々提供されている。上記電気かみそりは、本体部に装着した状態にある刃フレーム部の外刃に内刃を摺動させ、外刃の刃孔を通じて導入される髭等の体毛を、摺動する内刃と外刃の間で切断するものである。
【０００３】
上記電気かみそりにおいては、刃フレーム部に対する外刃の取り付けに一定のクリアランスを持たせることで、外刃を上下動自在に備えることが一般的である。しかし、上記構造では肌に対する外刃の追従性が悪く、特に外刃を複数備えた場合にはこの追従性の悪さが問題となる。
【０００４】
そこで、例えば特許文献１には図１０に示すように、外刃５と、外刃５を固定するための外刃枠１３と、この外刃枠１３を上下動自在に保持する保持枠１４とから成る外刃カセット１１を備え、この外刃カセット１１を外周枠１２に対して上側から着脱自在に装着することで（図１０中の矢印参照）、刃フレーム部４を形成したものが提案されている。上記構成の電気かみそりにおいては、外刃５自体は外刃枠１３に固定して安定保持しながら、この外刃５を固定した外刃枠１３を保持枠１４に対して円滑に且つ大きな幅で上下動させて、肌への追従性を向上させることができる。また、外刃５を交換する際には、外刃カセット１１を外周枠１２から取り外して交換すればよいので、作業が簡単であり、且つ外周枠１２はそのまま使用できて経済的である。
【０００５】
ところが、上記外刃カセット１１を備えた電気かみそりにあっては、外刃カセット１１の保持枠１４を外周枠１２の上側から装着させる構造であるため、不可避的に、装着状態において保持枠１４はその略全周に亘って外部に露出することになり、高級感を損なう原因となっていた。これに対し、例えば表面処理を施す等して保持枠１４自体のデザイン性を高めることも考えられるが、この場合でも保持枠１４と外周枠１２との継ぎ目部分は刃フレーム部４の中央に大きく露出して高級感を損なうという問題や、交換部分である外刃カセット１１を低コストで提供することが困難になるという問題が生じる。
【特許文献１】特開平４−２２０２８２号公報
【発明の開示】
【発明が解決しようとする課題】
【０００６】
本発明は上記問題点に鑑みて発明したものであって、外刃枠や保持枠を備えることで肌に対する外刃の追従性を高めるとともに、この保持枠が外部に露出することを防止して高級感を与えることができ、しかも外刃交換に要するコストは抑制することのできる電気かみそりを提供することを、課題とするものである。
【課題を解決するための手段】
【０００７】
上記課題を解決する本発明は、外刃５と、外刃５を固定する外刃枠１３と、外刃枠１３を上下動自在に保持する保持枠１４と、保持枠１４に連結される外周枠１２とを備える刃フレーム部４を、本体部３の内刃１を備えた上部に装着させて成る電気かみそりであって、上記保持枠１４は、外周枠１２に対して下側から着脱自在に装着されるものであり、且つ上記外周枠１２は、下側から装着した保持枠１４の外周を全周に亘って覆い隠すものであり、上記外周枠１２を、上記保持枠１４を介して本体部３に装着させる。
【０００８】
上記構成とすることで、保持枠１４は露出することなく外周枠１２だけが外部に露出することになり、また保持枠１４と外周枠１２との継ぎ目部分が露出することもないので、刃フレーム部４全体に高級感を与えることができる。しかも、保持枠１４は外周枠１２とは着脱自在になっているので、外刃５が破損や劣化を生じた場合には保持枠１４ごと取り外して簡単に交換することができる。そして、この保持枠１４は外部に露出することがないのでデザイン性を高めるためのコストをかける必要がなく、低コストで提供することができる。
【０００９】
また、上記構成の電気かみそりにおいては、外周枠１２を、保持枠１４を介して本体部３に装着させるので、刃フレーム部４ひいては電気かみそり全体をコンパクトに形成することができる。
【００１０】
更にこのとき、保持枠１４を、本体部３に密着した状態で装着させることが好適である。このようにすることで、切断した毛屑を保持枠１４と本体部３との間に封止しておくことができ、毛屑が外部にこぼれることが防止される。
【００１１】
また、保持枠１４と外周枠１２との間に、洗浄液を通過させるための隙間２９を設けることも好適である。このようにすることで、刃フレーム部４を本体部３に装着した状態で洗浄を行う際には、保持枠１４と外周枠１２の間の上記隙間２９が洗浄液の流路として機能し、大きな洗浄効果を得ることができる。
【００１２】
また、本体部３に対する保持枠１４の装着を解除するために備えてある解除ボタン２３の操作面２３ａと、保持枠１４に対する外周枠１２の装着を解除するために備えてある解除ボタン２０の操作面２０ａとを、略面一に設けることも好適である。このようにすることで、使用者は略面一に配置される両操作面２３ａ，２０ａに片手の指を当てた状態で、両解除ボタン２３，２０を択一的に又は同時に操作することができる。
【００１３】
また、保持枠１４の側部に貫通孔１９を設け、本体部３に設けたフック２４を該貫通孔１９の一部に係止させることで本体部３に保持枠１４を装着させ、且つ外周枠１２に設けたフック２２を該貫通孔１９の他部に係止させることで保持枠１４に外周枠１２を装着させることも好適である。このようにすることで、連結構造の省スペース化を図り、且つ金型構造の簡素化による低コスト化を図りながらも、各フック２４，２２の掛かり代は十分に確保することができる。
【００１４】
なお、以上述べた各構成は、本発明の趣旨を逸脱しない限り適宜組合せ可能である。
【発明の効果】
【００１５】
請求項１に係る発明は、外刃と、外刃を固定する外刃枠と、外刃枠を上下動自在に保持する保持枠と、保持枠に連結される外周枠とを備える刃フレーム部を、本体部の内刃を備えた上部に装着させて成る電気かみそりであって、保持枠は、外周枠に対して下側から着脱自在に装着されるものであり、且つ上記外周枠は、下側から装着した保持枠の外周を全周に亘って覆い隠すものであり、上記外周枠を、上記保持枠を介して本体部に装着させる。したがって、外刃枠や保持枠を備えてあることで肌に対する外刃の追従性が高まることは勿論のこと、更に外周枠で覆うことによって、この保持枠や該保持枠と外周枠の継ぎ目部分が外部に露出することを防止して、高級感を与えることができ、しかも保持枠ごと取り外して行う外刃交換のコストは抑制するという効果を奏する。
【００１６】
また請求項１に係る発明は、外周枠を、保持枠を介して本体部に装着させる構成であるから、刃フレーム部ひいては電気かみそり全体がコンパクトに形成されるという効果を奏する。
【００１７】
また請求項２に係る発明は、請求項１に係る発明の効果に加えて、保持枠を、本体部に密着した状態で装着させる構成とすることで、切断した毛屑が外部にこぼれることが防止されるという効果を奏する。
【００１８】
また請求項３に係る発明は、請求項１又は２に係る発明の効果に加えて、洗浄液を通過させるための隙間を設けた構成とすることで、刃フレーム部を本体部に装着した状態で洗浄を行う際には上記隙間が洗浄液の流路として機能し、大きな洗浄効果が得られるという効果を奏する。
【００１９】
また請求項４に係る発明は、請求項１〜３のいずれか一項に係る発明の効果に加えて、本体部に対する保持枠の装着を解除するために備えてある解除ボタンの操作面と、保持枠に対する外周枠の装着を解除するために備えてある解除ボタンの操作面とを、略面一に設けた構成とすることで、略面一に配置される両操作面に片手の指を当てた状態のまま、両解除ボタンを択一的に又は同時に操作することができ、着脱作業が容易になるという効果を奏する。
【００２０】
また請求項５に係る発明は、請求項１〜４のいずれか一項に係る発明の効果に加えて、保持枠の側部に貫通孔を設け、本体部に設けたフックを該貫通孔の一部に係止させることで本体部に保持枠を装着させ、且つ外周枠に設けたフックを該貫通孔の他部に係止させることで保持枠に外周枠を装着させた構成とすることで、連結構造の省スペース化を図り、且つ金型構造の簡素化による低コスト化を図りながらも、各フックの掛かり代は十分に確保することができるという効果を奏する。
【発明を実施するための最良の形態】
【００２１】
以下、本発明を添付図面に示す実施形態に基づいて説明する。本発明の実施形態における一例の電気かみそりは、図６、図７に全体を示すようなもので、電池部（図示せず）を内蔵するとともに該電池部により往復駆動される複数の内刃１を上方に突出させて備える本体部３と、この本体部３の内刃１を備えた上端部に対してその上方から着脱自在に装着されるキャップ状の刃フレーム部４とで、主体を成している。刃フレーム部４の上端の刃面には、多数の刃孔を有するネット状の外刃５と、多数の溝を有するスリット外刃５′とが並設してあり、図７に示すように刃フレーム部４を装着した状態において、本体部３側に備えてある各内刃１上端の刃先が、対応する外刃５の内面に弾接するようになっている。
【００２２】
なお、本文中においては、本体部３に対して刃フレーム部４が装着される側を「上側」とし、この反対側を「下側」、本体部３を把持して刃フレーム部４の刃面にものでありト刃のうち使用時に後側に位置する方に働くを肌に当てる際の手前側を「前側」、この反対側を「後側」、内刃１が往復動する方向を「左右方向」として説明する。
【００２３】
まず、本体部３について説明する。本体部３は、電池部が内蔵されるとともに正面に操作用のスイッチ部２を露出させてあるグリップ部６と、このグリップ部６の上端部に前後左右に揺動自在に連結される本体ヘッド部７とで形成される。本体部３の上部を成す本体ヘッド部７には、電池部からの電力供給で駆動されるリニアモータ（図示せず）を内蔵するとともに、その平坦な上端面７ａからは、リニアモータにより往復駆動される駆動桿８を上方に突出させてある。駆動桿８は前後に一対備えてあり、各駆動桿８の上端に内刃１を着脱自在に装着してある。
【００２４】
各内刃１は、上方に凸となるように逆Ｕ字状に湾曲させた状態で基台９に固定しており、この基台９を駆動桿８に連結させてある。各駆動桿８には押し上げばね１０が内蔵してあり、該押し上げばね１０の復元力により各内刃１は上下方向にフロート自在となっている。
【００２５】
なお、本文中に用いる「フロート自在」な状態とは、一定範囲内で上下動自在であり、且つ、該範囲内で下方に移動するほど上方に向けて強い付勢力が付与される状態である。
【００２６】
次に、本体部３の上部である本体ヘッド部７全体を覆い隠すように装着されるキャップ状の刃フレーム部４について説明する。刃フレーム部４は、図２、図３に示すような、複数の外刃５及びスリット外刃５′を上下動自在に備えた箱型の外刃カセット１１と、図４、図５に示すような、該外刃カセット１１を下側から収納して装着させることで該外刃カセット１１の保持枠１４を全周に亘って覆い隠す筒型の外周枠１２とで、主体を成している。
【００２７】
外刃カセット１１には、前後一対のネット状の外刃５と、一つのスリット外刃５′とを備えている。ネット状の外刃５は、上方に凸となるように逆Ｕ字状に湾曲させた状態で、矩形状を成す各専用の外刃枠１３にその両端部を固定させており、各外刃枠１３を、外刃枠１３よりも大型の矩形状を成す保持枠１４内に、独立して上下移動自在に組み込んでいる。スリット外刃５′は、専用のスリット外刃枠１３′の上部に固定させており、該スリット外刃枠１３′についても外刃枠１３と同様に、保持枠１４内に独立して上下動自在に組み込んでいる。この外刃５用の外刃枠１３と、スリット外刃５′用のスリット外刃枠１３′とは、前後の外刃枠１３で中央のスリット外刃枠１３′を挟む配置で保持枠１４内に並設してある。
【００２８】
スリット外刃５′とスリット外刃枠１３′の間には、スリット内刃１′を左右スライド自在に備えている。スリット外刃枠１３′には左右一対のスリットばね１５を備えており、該スリットばね１５によりスリット内刃１′に対して上方への弾性力を付与することで、スリット外刃５′とこれに弾接するスリット内刃１′を組み込んだスリット刃１６を形成している。スリット外刃枠１３′と保持枠１４との間には、該スリット外刃枠１３′を上方に付勢する左右一対の押し上げばね１７を介在させており、該押し上げばね１７の付勢力によってスリット刃１６全体を保持枠１４内にフロート自在に設けている。
【００２９】
なお、図示はしていないが、上記スリット刃１６内にてスリット内刃１′を左右に往復駆動させるためのスリット駆動桿は、一対の駆動桿８のうち一方から延設させている。刃フレーム部４が本体部３に装着されたときに、スリット内刃１′の中央下部が上記スリット駆動桿と連結され、一体に往復駆動される構造である。
【００３０】
上記外刃カセット１１の外周枠１２に対する装着は、以下の構造による。つまり、外刃カセット１１の保持枠１４の左右両側部からは下方に向けて弾性片１８が延設してあり、左右一対の弾性片１８にはそれぞれ左右方向に貫通した貫通孔１９を設けてある。更に、弾性片１８の下端からは外側方に向けて、全体としてＬ字状を成すように解除ボタン２０が延設してある。また、上下両端の開口した筒型の外周枠１２には、その下端縁の左右両側部に凹陥部２１が設けてある。外周枠１２の各凹陥部２１の底部からは、内側に向けてフック２２（図８参照）を突設している。
【００３１】
外周枠１２はその上端開口１２ａを、外刃カセット１１の保持枠１４の外形よりも小さく且つ外刃５及びスリット外刃５′から成る刃面全体の外形よりは大きく設けている。また、その下端開口１２ｂを、保持枠１４の解除ボタン２０を除く部分の外形よりも大きく設けている。したがって、図４に矢印で示すように、左右両端の解除ボタン２０を凹陥部２１に通すようにしながら外刃カセット１１を下端開口１２ｂから外周枠１２内に挿入していくと、左右両端の解除ボタン２０の上面が凹陥部２１の底面に当たり、この位置にて、外周枠１２から内側に突出させたフック２２の先端部が、保持枠１４の両弾性片１８の貫通孔１９の上側半部に対して外側から係止する（図８参照）。上記係止により、保持枠１４は外周枠１２に装着される。
【００３２】
保持枠１４の解除ボタン２０は、外周枠１２を装着した状態において、外周枠１２の外側面よりも外方に先端が突出するように設けている。保持枠１４と外周枠１２の装着状態を解除するには、左右の解除ボタン２０先端の操作面２０ａを挟み込むように掴んで内側に没入させ、両側の弾性片１８を内側に撓ませることで、フック２２を貫通孔１９から外せばよい。
【００３３】
また、上記構成から成る刃フレーム部４の本体部３に対する装着は、以下の構造による。つまり、本体部３の本体ヘッド部７の左右両端には、突没自在な解除ボタン２３を備えており、左右一対の解除ボタン２３の上端部にはそれぞれ、外側に向けてＬ字状に屈折したフック２４を設けている。各解除ボタン２３には、本体ヘッド部７に備えた押し出しばね（図示せず）により外側に付勢力を付与してある。なお、以下の文中においては、区別のため刃フレーム部４側の解除ボタン２０を「フレーム側解除ボタン２０」、本体ヘッド部７側の解除ボタン２３を「本体側解除ボタン２３」という。
【００３４】
したがって、図６に矢印で示すように、外周枠１２の左右両側の凹陥部２１に各本体側解除ボタン２３を通すようにしながら、刃フレーム部４を本体部３に対して上方から被せていくと、図８に示すように、左右両側の凹陥部２１内において、本体側解除ボタン２３が保持枠１４のフレーム側解除ボタン２０と当たり、この位置にて、本体側解除ボタン２３上端から外側に屈折させて設けたフック２４の先端部が、保持枠１４の両弾性片１８の貫通孔１９の下側半部に対して内側から係止する。上記係止により、保持枠１４（ひいては該保持枠１４を介して刃フレーム部４全体）が、本体部３の本体ヘッド部７上端に装着される。
【００３５】
本体側解除ボタン２３は、刃フレーム部４を本体ヘッド部７に装着した状態において、外周枠１２や本体ヘッド部７の外側面よりも外方にその先端が突出するように設けている。保持枠１４と本体ヘッド部７の装着状態を解除するには、左右の本体側解除ボタン２３先端の操作面２３ａを掴んで押し込み、保持枠１４に対して本体側解除ボタン２３を内側に没入させることで、フック２４を貫通孔１９から外せばよい。
【００３６】
上記したように本発明の電気かみそりにあっては、本体部３の内刃１を突設してある本体ヘッド部７に対して、該内刃１を覆うように外刃カセット１１の保持枠１４が上方から着脱自在に装着され、更にこの保持枠１４に対して、該保持枠１４を全周に亘って覆うように外周枠１２が上方から着脱自在に装着された構造となっている。換言すれば、グリップ部６よりも上方の刃面（即ち外刃５やスリット外刃５′）を除く全部分を覆い隠す外周枠１２を、本体ヘッド部７の上端面７ａに装着される保持枠１４を介して、本体ヘッド部７に着脱自在に装着させた構造である。
【００３７】
上記構成の電気かみそりにおいて、グリップ部６正面のスイッチ部２を操作してモータをオンにすると、前後一対の駆動桿８を介して前後一対の内刃１が外刃５の内面に往復摺動するとともに、駆動桿８の一つから延設されるスリット駆動桿を介してスリット刃１６内のスリット内刃１′がスリット外刃５′の内面に往復摺動することとなる。
【００３８】
保持枠１４内に上下動自在に設置される各外刃枠１３は、該外刃枠１３に固定される外刃５の内面に押し当たる内刃１がフロート自在であることから、本体ヘッド部７に装着された状態において該内刃１を介してフロート自在となる。また、スリット外刃枠１３′は、上記したように押し上げばね１７を介して保持枠１４内でフロート自在である。したがって、刃ヘッド部４の刃面を肌に押し付けた際には、フロート自在である各外刃枠１３及びスリット外刃枠１３′が独立して肌に追従することとなる。
【００３９】
ここで、本発明の電気かみそりにおいては、上記保持枠１４（即ち、外刃カセット１１全体）を、筒型を成す外周枠１２に対してその下端開口１２ｂ側から上方に挿入して装着する構造とし、保持枠１４がその全周に亘って外周枠１２で覆い隠されるように設けたので、保持枠１４自体や該保持枠１４と外周枠１２との継ぎ目部分が外部に露出することなく、高級感を与えるものとなっている。しかも、外刃カセット１１は外周枠１２から着脱自在な交換部分となっており、この外刃カセット１１の保持枠１４に対してはデザイン性を高めるためのコストをかける必要がないことから、交換部分である外刃カセット１１を低コストで提供することが可能となる。
【００４０】
また、本発明の電気かみそりにおいては、刃フレーム部４全体が、保持枠１４を介して本体部３の本体ヘッド部７の上端に装着される構造であって、該保持枠１４の下端縁が略全周に亘って本体ヘッド部７の上端面７ａの外周縁部と密着するようになっている（図９参照）。したがって、切断した毛屑を保持枠１４と本体ヘッド部７の上端面７ａとの間に封止しておくことができ、毛屑のこぼれを防止することができる。
【００４１】
なお、本例においてはグリップ部６の後面に、上端にトリマー刃（図示せず）を有するトリマーハンドル２６を上下スライド自在に設けている。このため、本体ヘッド部７の後側の駆動桿８から後方に継手２７（図９（ｃ）参照）を延設し、該継手２７を介して駆動桿８の往復動をトリマー刃にまで伝達するように設けているので、保持枠１４の下端縁の後部中央には継手２７が往復動するだけの僅かな隙間２８は設けてある。つまり、保持枠１４を上記隙間２８以外は隙間なく本体ヘッド部７に密着させた構造であるが、継手２７を設けない構造であればその全周に亘って隙間なく密着させてもよい。
【００４２】
また、本発明の電気かみそりにおいて、保持枠１４と外周枠１２とは、上記したように左右両側部での貫通孔１９とフック２２の係合により連結させてあるが（図８参照）、該連結部を除く部分においては、保持枠１４と外周枠１２との間にはその全周に亘って上下に貫通する隙間２９を設けている（図５参照）。この隙間２９が設けてあることで、刃フレーム部４を装着した状態で洗浄を行う際には、該隙間２９全体が洗浄液の流路として機能する。つまり、本発明では、本体ヘッド部７上端に外刃カセット１１を密着させ、この外刃カセット１１の全体を外周枠１２で覆った構造であるにも関わらず、上記隙間２９が流路となることで刃フレーム部４内での洗浄液の流れは良好となり、大きな洗浄効果を得ることができる。
【００４３】
また、本発明の電気かみそりにおいては、本体ヘッド部７に対する保持枠１４の装着を解除するために該本体ヘッド部７の左右両側部に突没自在に備えてある本体側解除ボタン２３の操作面２３ａと、保持枠１４に対する外周枠１２の装着を解除するために該保持枠１４の左右両側部に突没自在に備えてあるフレーム側解除ボタン２０の操作面２０ａとを、同一平面（図８（ｃ）中の想像線参照）内に近接して位置させ、両操作面２３ａ，２０ａを略面一としている。したがって、使用者は左右に備えてある両操作面２３ａ，２０ａに指を当てて掴み、この状態で左右の解除ボタン２３，２０を片手で押込み操作することができる。
【００４４】
なお、本体ヘッド部７から刃フレーム部４全体を取り外すには、下側に位置する本体側解除ボタン２３の操作面２３ａだけを押し込めばよい。これにより、本体側解除ボタン２３と一体にフック２４が内側に移動して貫通孔１９内から抜ける。取り外した刃フレーム部４から外刃カセット１１を取り外すには、フレーム側解除ボタン２０の操作面２０ａを押し込み、貫通孔１９内から外周枠１２のフック２２を抜けばよい。
【００４５】
また、本体ヘッド部７に保持枠１４を装着した状態のまま外周枠１２だけを取り外すには、左右両側において面一に配される本体側解除ボタン２３及びフレーム側解除ボタン２０の操作面２３ａ，２０ａを、共に押し込めばよい。これにより、貫通孔１９内に本体側解除ボタン２３のフック２４を係合させた状態のまま弾性片１８が内側に撓み、外周枠１２のフック２２だけが貫通孔１９内から抜ける。ここから更に保持枠１４を取り外す場合には、本体側解除ボタン２３の操作面２３ａを押し込めばよい。
【００４６】
更に、本発明の電気かみそりにおいては、上記したように、保持枠１４の左右両側部から延設される弾性片１８に設けた一つの貫通孔１９内に、本体ヘッド部７側に設けてあって該本体ヘッド部７及び保持枠１４の連結に用いるフック２４と、外周枠１２側に設けてあって該外周枠１２及び保持枠１４の連結に用いるフック２２とを、共に係合させる構造である。
【００４７】
したがって、連結構造の省スペース化や、金型構造の簡素化による低コスト化を図りながらも、各フック２４，２２の掛かり代は十分に確保することができる。特に、外周枠１２の下端から内側に屈折させて設けたフック２２の先端部が、貫通孔１９の上側半部に対して外側から係止し、且つ、本体ヘッド部７の上端から外側に屈折させて設けたフック２４の先端部が、貫通孔１９の下側半部に対して内側から係止する構造としてあるので、両フック２２，２４の掛かり代を確保しつつ更なる省スペース化が図られる。両フック２２，２４の係止時の対向面は共に、上側が内方に傾くように設けた傾斜面としており、両フック２２，２４が貫通孔１９内にて干渉することは防止している。
【００４８】
以上、刃フレーム部４上端の刃面において、前後方向に沿って外刃５、スリット外刃５′、外刃５の順で配置された実施形態に基づいて説明したが、刃面に外刃５を一つ又は複数配する構成であれば同様の構成が適用可能である。
【図面の簡単な説明】
【００４９】
【図１】本発明の実施形態における一例の電気かみそりの、本体部に接続される内刃及び刃フレーム部の分解斜視図である。
【図２】同上の電気かみそりの刃フレーム部内に収納される外刃カセットの分解斜視図である。
【図３】同上の電気かみそりの外刃カセットの斜視図である。
【図４】同上の電気かみそりの外刃カセットを外刃フレーム部に装着する様子を示す斜視図であり、（ａ）は装着前、（ｂ）は装着後の状態である。
【図５】同上の電気かみそりの刃フレーム部全体を示し、（ａ）は正面図、（ｂ）は（ａ）のＡ−Ａ線断面図である。
【図６】同上の電気かみそりの刃フレーム部を装着する前の状態を示す斜視図である。
【図７】同上の電気かみそりの刃フレーム部を装着した状態を示す斜視図である。
【図８】同上の電気かみそりの刃フレーム部を装着した状態を示し、（ａ）は平面図、（ｂ）は（ａ）のＢ−Ｂ線断面図、（ｃ）は（ｂ）の要部拡大図である。
【図９】同上の電気かみそりの、外刃カセットだけを装着した状態を示し、（ａ）は正面図、（ｂ）は側面図、（ｃ）は背面図である。
【図１０】従来の電気かみそりの刃フレーム部を示す分解斜視図である。
【符号の説明】
【００５０】
１  内刃
３  本体部
４  刃フレーム部
５  外刃
１２  外周枠
１３  外刃枠
１４  保持枠
１９  貫通孔
２０  解除ボタン
２０ａ  操作面
２２  フック
２３  解除ボタン
２３ａ  操作面
２４  フック
２９  隙間
【図１】
0004862768.tif 000002
【図２】
0004862768.tif 000003
【図３】
0004862768.tif 000004
【図４】
0004862768.tif 000005
【図５】
0004862768.tif 000006
【図６】
0004862768.tif 000007
【図７】
0004862768.tif 000008
【図８】
0004862768.tif 000009
【図９】
0004862768.tif 000010
【図１０】
0004862768.tif 000011